(57)【特許請求の範囲】
【請求項１】
レーザ光を出射するレーザ光源と、
光ディスクの情報記録層の情報トラックに前記レーザ光を集光し、及び、前記情報トラックによって回折された反射光を集光する対物レンズと、
前記対物レンズで集光された前記反射光から回折光を生成する回折素子と、
前記反射光に非点収差を与える光学素子と、
前記反射光を受光する光検知器と
を有し、
前記回折素子は、前記光ディスクのラジアル方向に延びる直線と＋４５度の角度で交差する第１の直線と前記光ディスクのラジアル方向に延びる直線と−４５度の角度で交差する第２の直線とで分割され、互いに同じ方向に延びる第１の格子パターンを持つ第１及び第２の回折領域と、前記第１の格子パターンの方向と異なる方向であって、互いに同じ方向に延びる第２の格子パターンを持つ第３及び第４の回折領域とを含み、
前記光検知器は、
前記ラジアル方向に対応する方向に延びる直線と＋４５度の角度で交差する第３の直線と前記ラジアル方向に対応する方向に延びる直線と−４５度の角度で交差する第４の直線と前記ラジアル方向に対応する方向に延びる第５の直線と前記タンジェンシャル方向に対応する方向に延びる第６の直線とを境界線とし、前記第１及び第２の回折領域からの回折光の内の＋１次光を受光する位置に配置された第１から第８の受光面と、
前記ラジアル方向に対応する方向に延びる直線と＋４５度の角度で交差する第７の直線と前記ラジアル方向に対応する方向に延びる直線と−４５度の角度で交差する第８の直線と前記ラジアル方向に対応する方向に延びる第９の直線と前記タンジェンシャル方向に対応する方向に延びる第１０の直線とを境界線とし、前記第３及び第４の回折領域からの回折光の内の＋１次光を受光する位置に配置された第９から第１６の受光面と
を有し、
前記第１から第８の受光面のうち一辺が前記ラジアル方向に対応する方向に延びる直線に接する複数個の受光面及び前記第９から第１６の受光面のうち一辺が前記タンジェンシャル方向に対応する方向に延びる直線に接する複数個の受光面が、トラックエラー検出用受光部を構成し、前記第１から第１６の受光面が、フォーカスエラー検出用受光部を構成し、
前記光学素子、前記回折素子、及び前記光検知器は、前記光ディスクの記録又は再生の対象としている情報記録層の情報トラックからの反射光から前記回折素子によって生成された回折光の内の＋１次光が前記トラックエラー検出用受光部の前記受光面内を照射し、前記光ディスクの記録又は再生の対象としている情報記録層より１つ奥の情報記録層の情報トラックからの反射光から前記回折素子によって生成された回折光の内の＋１次光が前記トラックエラー検出用受光部の受光面の外側を照射し、前記光ディスクの記録又は再生の対象としている情報記録層より１つ手前の情報記録層の情報トラックからの反射光から前記回折素子によって生成された回折光の内の＋１次光が前記トラックエラー検出用受光部の前記受光面の外側を照射するように構成された
ことを特徴とする光ヘッド装置。
【請求項２】
前記トラックエラー検出用受光部は、第１のトラックエラー検出用受光部と、第２のトラックエラー検出用受光部とを含み
前記第１のトラックエラー検出用受光部は、
前記第３の直線と前記第５の直線を境界線とし、ラジアル方向に対応する方向の外周方向側に配置される前記第１の受光面とラジアル方向に対応する方向の内周方向側に配置される前記第５の受光面と、
前記第４の直線と前記第５の直線を境界線とし、ラジアル方向に対応する方向の外周方向側に配置される前記第８の受光面とラジアル方向に対応する方向の内周方向側に配置される前記第４の受光面とを有し、
前記第２のトラックエラー検出用受光部は、
前記第７の直線と前記第１０の直線を境界線とし、タンジェンシャル方向に対応する方向のディスク回転反対方向側に配置される前記第２の受光面とタンジェンシャル方向に対応する方向のディスク回転方向側に配置される前記第６の受光面と、
前記第４の直線と前記第１０の直線を境界線とし、タンジェンシャル方向に対応する方向のディスク回転反対方向側に配置される第３の受光面とタンジェンシャル方向に対応する方向のディスク回転方向側に配置される第７の受光面とを有し、
前記フォーカスエラー検出用受光部は、第１のフォーカスエラー検出用受光部と、第２のフォーカスエラー検出用受光部とを含み、
前記第１のフォーカスエラー検出用受光部は、
前記第１、第４、第５、第８の受光面と、
前記第３の直線と前記第６の直線を境界線とし、タンジェンシャル方向に対応する方向のディスク回転反対方向側に配置される第２の受光面とタンジェンシャル方向に対応する方向のディスク回転方向側に配置される第６の受光面と、
前記第４の直線と前記第６の直線を境界線とし、タンジェンシャル方向に対応する方向のディスク回転反対方向側に配置される第３の受光面とタンジェンシャル方向に対応する方向のディスク回転方向側に配置される第７の受光面とを有し、
前記第２のフォーカスエラー検出用受光部は、
前記第１０、第１１、第１４、第１５の受光面と、
前記第７の直線と前記第９の直線を境界線とし、ラジアル方向に対応する方向の外周方向側に配置される第９の受光面とラジアル方向に対応する方向の内周方向側に配置される第１３の受光面と、
前記第８の直線と前記第９の直線を境界線とし、ラジアル方向に対応する方向の外周方向側に配置される第１６の受光面とラジアル方向に対応する方向の内周方向側に配置される第１２の受光面とを有する
ことを特徴とする請求項１に記載の光ヘッド装置。
【請求項３】
前記第１から第１６の受光面から得られる信号をそれぞれ信号ａ１，ａ２，ａ３，ａ４，ａ５，ａ６，ａ７，ａ８，ｂ１，ｂ２，ｂ３，ｂ４，ｂ５，ｂ６，ｂ７，ｂ８とすると、
フォーカスエラー信号は
（ａ３＋ａ４＋ａ７＋ａ８＋ｂ３＋ｂ４＋ｂ７＋ｂ８）
−（ａ１＋ａ２＋ａ５＋ａ６＋ｂ１＋ｂ２＋ｂ５＋ｂ６）
の演算で得られ、
トラックエラー信号は、ｋを定数とすると
（ａ４＋ａ５）−（ａ１＋ａ８）−ｋ×｛（ｂ３＋ｂ６）−（ｂ２＋ｂ７）｝
の演算で得られる
ことを特徴とする請求項２に記載の光ヘッド装置。
【請求項４】
前記光学素子は、シリンドリカルレンズであることを特徴とする請求項１から３までのいずれか１項に記載の光ヘッド装置。
【請求項５】
前記光学素子は、平板ビームスプリッタであることを特徴とする請求項１から３までのいずれか１項に記載の光ヘッド装置。
【請求項６】
光ディスクを回転させるディスク駆動部と、
回転する前記光ディスクからの情報の読み取り又は前記光ディスクへの情報の書き込みを行なう光ヘッド装置と
を有し、
前記光ヘッド装置は、
レーザ光を出射するレーザ光源と、
光ディスクの情報記録層の情報トラックに前記レーザ光を集光し、及び、前記情報トラックによって回折された反射光を集光する対物レンズと、
前記対物レンズで集光された前記反射光から回折光を生成する回折素子と、
前記反射光に非点収差を与える光学素子と、
前記反射光を受光する光検知器と
を有し、
前記回折素子は、前記光ディスクのラジアル方向に延びる直線と＋４５度の角度で交差する第１の直線と前記光ディスクのラジアル方向に延びる直線と−４５度の角度で交差する第２の直線とで分割され、互いに同じ方向に延びる第１の格子パターンを持つ第１及び第２の回折領域と、前記第１の格子パターンの方向と異なる方向であって、互いに同じ方向に延びる第２の格子パターンを持つ第３及び第４の回折領域とを含み、
前記光検知器は、
前記ラジアル方向に対応する方向に延びる直線と＋４５度の角度で交差する第３の直線と前記ラジアル方向に対応する方向に延びる直線と−４５度の角度で交差する第４の直線と前記ラジアル方向に対応する方向に延びる第５の直線と前記タンジェンシャル方向に対応する方向に延びる第６の直線とを境界線とし、前記第１及び第２の回折領域からの回折光の内の＋１次光を受光する位置に配置された第１から第８の受光面と、
前記ラジアル方向に対応する方向に延びる直線と＋４５度の角度で交差する第７の直線と前記ラジアル方向に対応する方向に延びる直線と−４５度の角度で交差する第８の直線と前記ラジアル方向に対応する方向に延びる第９の直線と前記タンジェンシャル方向に対応する方向に延びる第１０の直線とを境界線とし、前記第３及び第４の回折領域からの回折光の内の＋１次光を受光する位置に配置された第９から第１６の受光面と
を有し、
前記第１から第８の受光面のうち一辺が前記ラジアル方向に対応する方向に延びる直線に接する複数個の受光面及び前記第９から第１６の受光面のうち一辺が前記タンジェンシャル方向に対応する方向に延びる直線に接する複数個の受光面が、トラックエラー検出用受光部を構成し、前記第１から第１６の受光面が、フォーカスエラー検出用受光部を構成し、
前記光学素子、前記回折素子、及び前記光検知器は、前記光ディスクの記録又は再生の対象としている情報記録層の情報トラックからの反射光から前記回折素子によって生成された回折光の内の＋１次光が前記トラックエラー検出用受光部の前記受光面内を照射し、前記光ディスクの記録又は再生の対象としている情報記録層より１つ奥の情報記録層の情報トラックからの反射光から前記回折素子によって生成された回折光の内の＋１次光が前記トラックエラー検出用受光部の受光面の外側を照射し、前記光ディスクの記録又は再生の対象としている情報記録層より１つ手前の情報記録層の情報トラックからの反射光から前記回折素子によって生成された回折光の内の＋１次光が前記トラックエラー検出用受光部の前記受光面の外側を照射するように構成された
ことを特徴とする光ディスク装置。
【発明の詳細な説明】
【技術分野】
【０００１】
本発明は、光ヘッド装置及び光ディスク装置に関するものである。
【背景技術】
【０００２】
光ヘッド装置からのレーザ光を光ディスクの情報トラックに追従させる方法として、１ビームプッシュプル方式がある。この方式では、光ディスクの情報トラックで回折したレーザ光の反射光を、光検知器の２分割された受光面で検出し、検出信号の差であるトラックエラー信号を０に近づけるように、対物レンズを光ディスクのラジアル方向にシフトさせる。しかし、この方式では、対物レンズが光ディスクのラジアル方向にシフトすると、対物レンズと光検知器の位置が相対的にずれるため、光検知器に照射される光スポットが移動して、トラックエラー信号にオフセットが生じてしまう。【０００３】
このオフセットを消去する技術が、例えば、特許文献１に提案されている。特許文献１に記載の技術においては、偏光性ホログラムの回折光の±１次光を分離し、分離した±１次光のそれぞれを照射位置のずれ量よりも大きな受光面を持つ光検知器で検知し、これら受光面の検知信号を用いることによって、オフセットの発生を回避している。
【先行技術文献】
【特許文献】
【０００４】
【特許文献１】特開平８−６３７７８号公報（段落００１７、図１）
【発明の概要】
【発明が解決しようとする課題】
【０００５】
しかしながら、特許文献１に記載の光ヘッド装置においては、情報トラックが形成された情報記録層を複数有する多層光ディスクに対する情報の記録又は再生時に、記録又は再生の対象としている情報記録層以外の情報記録層で反射した光ビームが、光検知器に照射されて、トラックエラー信号のノイズとして検出されるという問題がある。【０００６】
そこで、本発明は、上記従来技術の課題を解決するためになされたものであり、多層光ディスクに対する情報の記録又は再生時に、記録又は再生の対象としている情報記録層以外の情報記録層で反射した光ビームによる影響を少なくすることができる光ヘッド装置及び光ディスク装置を提供することを目的とする。
【課題を解決するための手段】
【０００８】
本発明の一態様に係る光ヘッド装置は、レーザ光を出射するレーザ光源と、光ディスクの情報記録層の情報トラックに前記レーザ光を集光し、及び、前記情報トラックによって回折された反射光を集光する対物レンズと、前記対物レンズで集光された前記反射光から回折光を生成する回折素子と、前記反射光に非点収差を与える光学素子と、前記反射光を受光する光検知器とを有し、前記回折素子は、前記光ディスクのラジアル方向に延びる直線と＋４５度の角度で交差する第１の直線と前記光ディスクのラジアル方向に延びる直線と−４５度の角度で交差する第２の直線とで分割され、互いに同じ方向に延びる第１の格子パターンを持つ第１及び第２の回折領域と、前記第１の格子パターンの方向と異なる方向であって、互いに同じ方向に延びる第２の格子パターンを持つ第３及び第４の回折領域とを含み、前記光検知器は、前記ラジアル方向に対応する方向に延びる直線と＋４５度の角度で交差する第３の直線と前記ラジアル方向に対応する方向に延びる直線と−４５度の角度で交差する第４の直線と前記ラジアル方向に対応する方向に延びる第５の直線と前記タンジェンシャル方向に対応する方向に延びる第６の直線とを境界線とし、前記第１及び第２の回折領域からの回折光の内の＋１次光を受光する位置に配置された第１から第８の受光面と、前記ラジアル方向に対応する方向に延びる直線と＋４５度の角度で交差する第７の直線と前記ラジアル方向に対応する方向に延びる直線と−４５度の角度で交差する第８の直線と前記ラジアル方向に対応する方向に延びる第９の直線と前記タンジェンシャル方向に対応する方向に延びる第１０の直線とを境界線とし、前記第３及び第４の回折領域からの回折光の内の＋１次光を受光する位置に配置された第９から第１６の受光面とを有し、前記第１から第８の受光面のうち一辺が前記ラジアル方向に対応する方向に延びる直線に接する複数個の受光面及び前記第９から第１６の受光面のうち一辺が前記タンジェンシャル方向に対応する方向に延びる直線に接する複数個の受光面が、トラックエラー検出用受光部を構成し、前記第１から第１６の受光面が、フォーカスエラー検出用受光部を構成し、前記光学素子、前記回折素子、及び前記光検知器は、前記光ディスクの記録又は再生の対象としている情報記録層の情報トラックからの反射光から前記回折素子によって生成された回折光の内の＋１次光が前記トラックエラー検出用受光部の前記受光面内を照射し、前記光ディスクの記録又は再生の対象としている情報記録層より１つ奥の情報記録層の情報トラックからの反射光から前記回折素子によって生成された回折光の内の＋１次光が前記トラックエラー検出用受光部の受光面の外側を照射し、前記光ディスクの記録又は再生の対象としている情報記録層より１つ手前の情報記録層の情報トラックからの反射光から前記回折素子によって生成された回折光の内の＋１次光が前記トラックエラー検出用受光部の前記受光面の外側を照射するように構成されたことを特徴としている。
【発明の効果】
【００１０】
本発明によれば、多層光ディスクに対する情報の記録又は再生時に、記録又は再生の対象としている情報記録層以外の情報記録層で反射した光ビームによる影響を少なくすることができるという効果がある。
【図面の簡単な説明】
【００１１】
【図１】本発明の実施の形態１及び２に係る光ディスク装置の構成を概略的に示す図である。
【図２】実施の形態１に係る光ヘッド装置の構成を概略的に示す斜視図である。
【図３】（ａ）及び（ｂ）は、図２のホログラムを概略的に示す平面図である。
【図４】図２の光検知器の受光面及びホログラムで５分割された光ビームの照射領域を概略的に示す図（対物レンズのラジアル方向のシフトが無いとき）である。
【図５】図２の光検知器の受光面及びホログラムで５分割された光ビームの照射領域を概略的に示す図（対物レンズがラジアル方向の光ディスク内周側にシフトしたとき）である。
【図６】図２の光検知器の受光面及びホログラムで５分割された光ビームの照射領域を概略的に示す図（対物レンズがラジアル方向の光ディスク外周側にシフトしたとき）である。
【図７】（ａ）〜（ｃ）は、対物レンズのラジアル方向のシフトが無いとき、対物レンズが光ディスク内周側にシフトしたとき、及び対物レンズが光ディスク外周側にシフトしたときにおける、図２の光検知器による検出信号を示す図である。
【図８】多層光ディスクに対する情報の記録又は再生時に、記録又は再生の対象としている情報記録層よりも１つ奥（深い位置）の情報記録層で反射した光ビームの照射領域を概略的に示す図である。
【図９】多層光ディスクに対する情報の記録又は再生時に、記録又は再生の対象としている情報記録層よりも１つ手前（浅い位置）の情報記録層で反射した光ビームの照射領域を概略的に示す図である。
【図１０】実施の形態２に係る光ヘッド装置の構成を概略的に示す斜視図である。
【図１１】図２及び図１０の光検知器の受光面の他の例を概略的に示す図である。
【図１２】本発明の実施の形態３に係る光ディスク装置の構成を概略的に示す図である。
【図１３】実施の形態３に係る光ヘッド装置の構成を概略的に示す斜視図である。
【図１４】図１３の光検知器の受光面及びホログラムで５分割された光ビームの照射領域を概略的に示す図（対物レンズのラジアル方向のシフトが無いとき）である。
【図１５】図１３の光検知器の受光面及びホログラムで５分割された光ビームの照射領域を概略的に示す図（対物レンズがラジアル方向の光ディスク内周側にシフトしたとき）である。
【図１６】図１３の光検知器の受光面及びホログラムで５分割された光ビームの照射領域を概略的に示す図（対物レンズがラジアル方向の光ディスク外周側にシフトしたとき）である。
【図１７】（ａ）〜（ｃ）は、対物レンズのラジアル方向のシフトが無いとき、対物レンズが光ディスク内周側にシフトしたとき、及び対物レンズが光ディスク外周側にシフトしたときにおける、図１３の光検知器による検出信号を示す図である。
【図１８】多層光ディスクに対する情報の記録又は再生時に、記録又は再生の対象としている情報記録層よりも１つ奥（深い位置）の情報記録層で反射した光ビームの照射領域を概略的に示す図である。
【図１９】多層光ディスクに対する情報の記録又は再生時に、記録又は再生の対象としている情報記録層よりも１つ手前（浅い位置）の情報記録層で反射した光ビームの照射領域を概略的に示す図である。
【図２０】図２、図１０、及び図１４のホログラムの他の例を示す平面図である。
【図２１】図２、図１０、及び図１４のホログラムのさらに他の例を示す平面図である。
【発明を実施するための形態】
【００１２】
実施の形態１．
図１は、本発明の実施の形態１に係る光ディスク装置１の構成を概略的に示す図である。図１に示されるように、光ディスク装置１（実施の形態２においては、光ディスク装置２）は、光ディスク１０１が装着されるターンテーブル１１２と、記録又は再生時にターンテーブルを回転駆動させるディスク駆動部としてのスピンドルモータ１０２と、光ディスク１０１に対するデータの読み出し又はデータの書き込みを行なう光ヘッド装置１０３（実施の形態２においては、光ヘッド装置１０３ａ）と、光ヘッド装置１０３を光ディスクのラジアル（半径）方向Ｄｒにシフトさせる移動部１０４とを有する。また、光ディスク装置１は、光ヘッド装置１０３の光検知器（後述の図２に示す。）の各受光面（受光素子）によって検出された光ビームの受光光量に応じた値を持つ電気信号が供給されるマトリクス回路１０５と、信号再生回路１０６と、サーボ回路１０７と、スピンドル制御回路１０８と、レーザ制御回路１０９と、スレッド制御回路１１０と、コントローラ１１１とを有する。
【００１３】
マトリクス回路１０５は、マトリクス演算回路及び増幅回路などを備えており、光ヘッド装置１０３の光検知器の複数の受光面からの出力信号のマトリクス演算処理により、必要な信号、例えば、高周波信号の再生信号ＲＳ、サーボ制御のためのフォーカスエラー信号ＦＥＳ及びトラックエラー信号ＴＥＳなどを生成する。マトリクス回路１０５から出力される再生信号ＲＳは、信号再生回路１０６へ供給され、マトリクス回路１０５から出力されるフォーカスエラー信号ＦＥＳ及びトラックエラー信号ＴＥＳは、サーボ回路１０７へ供給される。
【００１４】
信号再生回路１０６は、マトリクス回路１０５からの再生信号ＲＳに対して２値化処理及び再生クロック生成処理などを行い、再生データを生成する。再生データにまでデコードされたデータは、例えば、ＡＶ（Ａｕｄｉｏ／Ｖｉｓｕａｌ）システムとしての機器又はパーソナルコンピュータ（ＰＣ）などのホスト機器に転送される。
【００１５】
サーボ回路１０７は、マトリクス回路１０５から供給されたフォーカスエラー信号ＦＥＳ及びトラックエラー信号ＴＥＳから、フォーカス及びトラックの各種サーボドライブ信号を生成し、光ヘッド装置１０３にサーボ動作を実行させる。すなわち、サーボ回路１０７は、フォーカスエラー信号ＦＥＳ及びトラックエラー信号ＴＥＳに応じてフォーカスドライブ信号ＦＤＳ及びトラックドライブ信号ＴＤＳを生成し、光ヘッド装置１０３の対物レンズアクチュエータのフォーカスコイル及びトラックコイルを駆動させる。これによって、光ヘッド装置１０３、マトリクス回路１０５、及びサーボ回路１０７によるフォーカスサーボループ及びトラックサーボループが形成される。
【００１６】
スピンドル制御回路１０８は、スピンドルモータ１０２の回転制御を行う。レーザ制御回路１０９は、光ヘッド装置１０３から出射されるレーザ光の強度を制御する。スレッド制御回路１１０は、移動部１０４によって光ヘッド装置１０３を光ディスク１０１のラジアル方向（半径方向）Ｄｒにシフトさせ、光ヘッド装置１０３が光ディスク１０１のラジアル方向Ｄｒの所望位置のデータを読み出すこと（又は、ヘッド装置１０３が光ディスク１０１のラジアル方向Ｄｒの所望位置にデータを書き込むこと）を可能としている。
【００１７】
以上のようなサーボ系及び再生系の各種動作は、マイクロコンピュータによって形成されたコントローラ１１１により制御される。コントローラ１１１は、ホスト機器からのコマンドに応じて各種処理を実行する。
【００１８】
図２は、実施の形態１に係る光ヘッド装置１０３の構成を概略的に示す斜視図である。光ヘッド装置１０３は、１ビームプッシュプル方式を採用しており、レーザ光を出射するレーザ光源である半導体レーザ２０１と、偏光ビームスプリッタ２０２と、１／４波長板２０３と、コリメータレンズ２０４と、光ディスク１０１に向かうレーザ光を集光し、及び、光ディスク１０１の情報記録層の情報トラック１０１ａによって回折された反射光を集光する対物レンズ２０５と、対物レンズ２０５を保持する可動保持部２０６と、可動保持部２０６をフォーカス方向又は光ディスク１０１のラジアル方向Ｄｒに駆動する対物レンズアクチュエータ２０７と、偏向素子（回折素子）としてのホログラム２０８と、非点収差を与える光学素子であるシリンドリカルレンズ２０９と、光検知器２１０とを備えている。半導体レーザ２０１から出射されたレーザ光は、偏光ビームスプリッタ２０２で方向を変えられ、１／４波長板２０３、コリメータレンズ２０４を通過して対物レンズ２０５で光ディスク１０１の情報記録層の情報トラック１０１ａに集光される。レーザ光は、光ディスク１０１の情報トラック１０１ａで回折して反射光となり、対物レンズ２０５、コリメータレンズ２０４、１／４波長板２０３、及び偏光ビームスプリッタ２０２を通過し、ホログラム２０８で５本の光ビームに分割され、シリンドリカルレンズ２０９で非点収差を与えられ、光検知器２１０に照射される。
【００１９】
図３（ａ）及び（ｂ）は、図２に示されるホログラム２０８を示す平面図であり、図３（ａ）は、主にホログラム２０８の形状を示し、図３（ｂ）は、主に光ビームの照射領域を示す。図３（ａ）に示されるように、ホログラム２０８は、４分割された偏向領域（回折領域）として、第１の回折領域３０１と、第２の回折領域３０２と、第３の回折領域３０３と、第４の回折領域３０４とを有している。図３（ａ）及び（ｂ）の例では、第１〜第４の回折領域３０１〜３０４のそれぞれは、互いに同じ面積を有し、頂点が直角である二等辺三角形である。ただし、第１〜第４の回折領域３０１〜３０４を他の形状とすることもできる。
【００２０】
また、図３（ａ）に示されるように、第１の回折領域３０１は、ラジアル方向Ｄｒに延びる直線状の格子パターン３０１ａをタンジェンシャル方向Ｄｔに複数配列したものである。同様に、第２の回折領域３０２は、ラジアル方向Ｄｒに延びる直線状の格子パターンをタンジェンシャル方向Ｄｔに複数配列したものである。
【００２１】
また、図３（ａ）に示されるように、第３の回折領域３０３は、タンジェンシャル方向Ｄｔに延びる直線状の格子パターン３０３ａをラジアル方向Ｄｒに複数配列したものである。同様に、第４の回折領域３０４は、タンジェンシャル方向Ｄｔに延びる直線状の格子パターンをラジアル方向Ｄｒに複数配列したものである。
【００２２】
第１の回折領域３０１は、図３（ｂ）に示されるハッチング領域５０２の全体を含む領域である。光ディスク１０１の記録又は再生の対象としている情報記録層の情報トラック１０１ａで回折した反射光の内の０次光のビーム（メインビーム）が照射される領域（図３（ｂ）に破線の円形で示す領域５０１）であり、且つ、メインビームと反射光の内の−１次光のビーム（サブビーム）とが重なって照射される領域が、ハッチング領域５０２である。
【００２３】
第２の回折領域３０２は、図３（ｂ）に示されるハッチング領域５０３の全体を含む領域である。光ディスク１０１の記録又は再生の対象としている情報記録層の情報トラック１０１ａで回折した反射光の内の０次光のビーム（メインビーム）が照射される領域（図３（ｂ）に破線の円形で示す領域５０１）であり、且つ、メインビームと反射光の内の＋１次光のビーム（サブビーム）とが重なって照射される領域が、ハッチング領域５０３である。
【００２４】
第３の回折領域３０３及び第４の回折領域３０４は、図３（ｂ）に示すハッチング領域５０２，５０３を含まない領域である。光ディスク１０１の記録又は再生の対象としている情報記録層の情報トラック１０１ａで回折した反射光の０次光のビーム（メインビーム）が照射される領域（図３（ｂ）に示す円形の領域５０１）であり、且つ、メインビームと反射光の内の＋１次光又は−１次光のビーム（サブビーム）とが重なって照射される領域（図３（ｂ）に示すハッチング領域５０２，５０３）を含まない領域が、第３の回折領域３０３及び第４の回折領域３０４となる。
【００２５】
図３（ａ）及び（ｂ）に示されるように、実施の形態１において、光ディスク１０１の中心を通る所定の方向であるラジアル方向Ｄｒを０度の方向、ラジアル方向Ｄｒに直交するタンジェンシャル方向Ｄｔ（情報トラック１０１ａの光ビーム照射位置における接線方向）を９０度の方向と定義する。第１の回折領域３０１、第２の回折領域３０２、第３の回折領域３０３、及び第４の回折領域３０４は、４５度の方向に延びる直線５１１と−４５度の方向に延びる直線５１２とによって４分割された領域である。また、ホログラム２０８の第１〜第４の回折領域３０１〜３０４によって分離された回折光の光量比は、例えば、次式のようになる。
１次光：０次光：−１次光＝１：８：１
【００２６】
図４は、図２の光検知器２１０の受光面及びホログラム２０８で５分割された光ビームの照射領域を概略的に示す図（対物レンズ２０５のラジアル方向Ｄｒのシフトが無いとき）である。
【００２７】
光検知器２１０は、複数の受光面Ａ，Ｂ，Ｃ，Ｄからなる第１の受光部４０２を有する。第１の受光部４０２は、ホログラム２０８の第１の回折領域３０１、第２の回折領域３０２、第３の回折領域３０３、及び第４の回折領域３０４で生成された回折光の０次光（すなわち、光ディスク１０１の記録又は再生の対象としている情報記録層の情報トラック１０１ａで回折した反射光の内の０次光のビーム（メインビーム）がホログラム２０８で回折（透過）することによって生成された回折光の内の０次光のビームである第１の光ビーム４０１（円形のハッチング領域）を受光する。第１の受光部４０２は、フォーカスエラー検出用受光部として使用される。
【００２８】
また、光検知器２１０は、ラジアル方向Ｄｒに対応する方向ＤＲに隣接して並ぶ、複数の受光面（図４では、頂点を対向させ、且つ、互いの頂点を同じ位置にした２つの直角二等辺三角形の１対の受光面Ｅ，Ｆが示されている）からなる第２の受光部４０５を有する。第２の受光部４０５は、ホログラム２０８の第１の回折領域３０１で生成された回折光の内の＋１次光である第２の光ビーム４０３（扇形のハッチング領域）と、ホログラム２０８の第２の回折領域３０２で生成された回折光の内の＋１次光である第３の光ビーム４０４（扇形のハッチング領域）とを受光する。なお、使用する回折光は、ホログラム２０８の第１又は第２の回折領域３０１，３０２で生成された回折光の内の−１次光であってもよい。また、１対の受光面Ｅ，Ｆの形状は、図示の例に限定されない。第２の受光部４０５は、第１のトラッキングエラー検出用受光部として使用される。
【００２９】
さらに、光検知器２１０は、タンジェンシャル方向Ｄｔに対応する方向ＤＴに隣接して並ぶ、複数の受光面（図４では、頂点を対向させ、且つ、互いの頂点を同じ位置にした４つの三角形の受光面Ｇ１，Ｇ２，Ｈ１，Ｈ２（１対の受光面Ｇ１，Ｈ１及び１対の受光面Ｇ２，Ｈ２）からなる第３の受光部４０８を有する。第３の受光部４０８は、ホログラム２０８の第３の回折領域３０３で生成された回折光の内の＋１次光である第４の光ビーム４０６（扇形のハッチング領域）と、ホログラム２０８の第４の回折領域３０４で生成された回折光の内の＋１次光である第５の光ビーム４０７（扇形のハッチング領域）とを受光する。なお、使用する回折光は、ホログラム２０８の第３又は第４の回折領域３０３，３０４で生成された回折光の内の−１次光であってもよい。また、受光面Ｇ１，Ｇ２，Ｈ１，Ｈ２の形状は、図示の例に限定されない。第３の受光部４０８は、第２のトラッキングエラー検出用受光部として使用される。
【００３０】
光検知器２１０は、１０個の受光面、すなわち、第１の受光部４０２を構成する４つの受光面Ａ，Ｂ，Ｃ，Ｄと、第２の受光部４０５を構成する２つの受光面Ｅ，Ｆと、第３の受光部４０８を構成する４つの受光面Ｇ１，Ｇ２，Ｈ１，Ｈ２とを有するが、受光面の形状、配置、数量は、他の形状、配置、数量にしてもよい。第１の受光部４０２の４つの受光面Ａ，Ｂ，Ｃ，Ｄは、光ディスク１０１のラジアル方向Ｄｒに対応する方向ＤＲ及びタンジェンシャル方向Ｄｔに対応する方向ＤＴに隣接して並ぶ（２行２列に並ぶ）４つの矩形の互いに同じ形状の受光面である。
【００３１】
また、第２の受光部４０５の２つの受光面Ｅ，Ｆは、光ディスク１０１のラジアル方向Ｄｒに対応する方向ＤＲに並ぶ２つの三角形の受光面である。第２の受光部４０５の２つの受光面Ｅ，Ｆの境界線は、ラジアル方向Ｄｒに対応する方向ＤＲを０度、タンジェンシャル方向Ｄｔに対応する方向ＤＴを９０度とした場合に、４５度方向に延びる直線６１１と−４５度方向に延びる直線６１２である。
【００３２】
また、第３の受光部４０８の４つの受光面Ｇ１，Ｇ２，Ｈ１，Ｈ２は、光ディスク１０１のラジアル方向Ｄｒに対応する方向ＤＲ及びタンジェンシャル方向Ｄｔに対応する方向ＤＴに並ぶ４つの三角形の受光面である。第３の受光部４０８の４つの受光面Ｇ１，Ｇ２，Ｈ１，Ｈ２の境界線は、４５度方向に延びる直線６２１と、−４５度方向に延びる直線６２２と、タンジェンシャル方向Ｄｔに対応する方向ＤＴに延びる直線６２４である。
【００３３】
ホログラム２０８によって生成された（ホログラム２０８を通過した）０次光のレーザ光である第１の光ビーム４０１は、第１の受光部４０２の受光面Ａ，Ｂ，Ｃ，Ｄに到達する。
【００３４】
ホログラム２０８の第１の回折領域３０１によって生成された回折光の内の＋１次光である第２の光ビーム４０３は、第２の受光部４０５の受光面Ｆに到達し、ホログラム２０８の第２の回折領域３０２によって生成された回折光の内の＋１次光である第３の光ビーム４０４は、第２の受光部４０５の受光面Ｅに到達する。
【００３５】
ホログラム２０８の第３の回折領域３０３によって生成された回折光の内の＋１次光である第４の光ビーム４０６は、第３の受光部４０８の受光面Ｇ２，Ｈ２に到達し、ホログラム２０８の第４の回折領域３０４によって生成された回折光の内の＋１次光である第５の光ビーム４０７は、第３の受光部４０８の受光面Ｇ１，Ｈ１に到達する。なお、以下の説明において、受光面Ａ，Ｂ，Ｃ，Ｄ，Ｅ，Ｆ，Ｇ１，Ｇ２，Ｈ１，Ｈ２でそれぞれ光電変換された電気信号又はそのレベルを、ａ０，ｂ０，ｃ０，ｄ０，ｅ０，ｆ０，ｇ１，ｇ２，ｈ１，ｈ２と表記する。
【００３６】
マトリクス回路１０５は、光検知器２１０の検知信号ａ０，ｂ０，ｃ０，ｄ０，ｅ０，ｆ０，ｇ１，ｇ２，ｈ１，ｈ２を受信し、フォーカスエラー信号ＦＥＳを、次式の非点収差法の演算によって生成する。
ＦＥＳ＝（ａ０＋ｃ０）−（ｂ０＋ｄ０）
【００３７】
また、マトリクス回路１０５は、トラックエラー信号ＴＥＳを、次式の演算によって生成する。
ＴＥＳ＝（ｅ０−ｆ０）−ｋ×｛（ｇ１＋ｇ２）−（ｈ１＋ｈ２）｝
ここで、ｋは定数である。
【００３８】
図５は、図２の光検知器２１０の受光面及びホログラム２０８で５分割された光ビーム４０１，４０３，４０４，４０６，４０７の照射領域を概略的に示す図（対物レンズ２０５がラジアル方向Ｄｒの光ディスク内周側にシフトしたとき）である。また、図６は、図２の光検知器２１０の受光面及びホログラム２０８で５分割された光ビーム４０１，４０３，４０４，４０６，４０７の照射領域を概略的に示す図（対物レンズ２０５がラジアル方向Ｄｒの光ディスク外周側にシフトしたとき）である。図５は、対物レンズ２０５が光ディスク１０１の内周方向にシフトした場合に、第１〜第５の光ビーム４０１，４０３，４０４，４０６，４０７はそれぞれ、図５の左方（ラジアル方向Ｄｒに対応する方向ＤＲ）にずれることを示している。図６は、対物レンズ２０５が光ディスク１０１の外周方向にシフトした場合に、第１〜第５の光ビーム４０１，４０３，４０４，４０６，４０７はそれぞれ、図６の右方（ラジアル方向Ｄｒに対応する方向ＤＲであって、図５の場合の反対方向）にずれることを示している。
【００３９】
図７（ａ）〜（ｃ）は、対物レンズ２０５のラジアル方向Ｄｒのシフトが無いとき、対物レンズ２０５が光ディスク内周側にシフトしたとき、及び対物レンズ２０５が光ディスク外周側にシフトしたときにおける、図２の光検知器２１０による検出信号を示す図である。なお、図７（ａ）〜（ｃ）は、フォーカスサーボがオンであり、トラックサーボがオフの場合の信号を示している。
【００４０】
図７（ａ）及び図４から理解できるように、対物レンズ２０５のラジアル方向Ｄｒのシフトが無いときには、信号（ｅ０−ｆ０）の波形は、ＧＮＤ（破線）を基準にしてオフセットのないプッシュプル波形となる。このとき、信号（（ｇ１＋ｇ２）−（ｈ１＋ｈ２））の直流的波形（実線）も、ＧＮＤ（破線）を基準にしてオフセットのない波形となる。
【００４１】
図７（ｂ）及び図５から理解できるように、対物レンズ２０５がラジアル方向Ｄｒ内周側（ディスク内周方向）にシフトしたときには、信号（ｅ０−ｆ０）の波形は、ＧＮＤ（破線）を基準にしてプラスにオフセットしたプッシュプル波形となる。このとき、信号（（ｇ１＋ｇ２）−（ｈ１＋ｈ２））の直流的波形（実線）も、ＧＮＤ（破線）を基準にしてプラスにオフセットした波形となる。したがって、信号（（ｇ１＋ｇ２）−（ｈ１＋ｈ２））の値は、対物レンズ２０５のシフト量に対応する値を表しており、信号（ｅ０−ｆ０）の値から信号（（ｇ１＋ｇ２）−（ｈ１＋ｈ２））の値の定数倍（ｋ倍）を差し引くことによって、オフセットをキャンセルしたトラックエラー信号ＴＥＳが得られる。
【００４２】
図７（ｃ）及び図６から理解できるように、対物レンズ２０５がラジアル方向Ｄｒ外周側（ディスク外周方向）にシフトしたときには、信号（ｅ０−ｆ０）の波形は、ＧＮＤ（破線）を基準にしてマイナスにオフセットしたプッシュプル波形となる。このとき、信号（（ｇ１＋ｇ２）−（ｈ１＋ｈ２））の直流的波形（実線）も、ＧＮＤ（破線）を基準にしてマイナスにオフセットした波形となる。したがって、信号（（ｇ１＋ｇ２）−（ｈ１＋ｈ２））の値は、対物レンズ２０５のシフト量に対応する値を表しており、信号（ｅ０−ｆ０）の値から信号（（ｇ１＋ｇ２）−（ｈ１＋ｈ２））の値の定数倍を差し引くことによって、オフセットをキャンセルしたトラックエラー信号ＴＥＳが得られる。
【００４３】
なお、信号（（ｇ１＋ｇ２）−（ｈ１＋ｈ２））の値の定数倍の代わりに、信号（ｇ１−ｈ１）の値の定数倍、又は、信号（ｇ２−ｈ２）の値の定数倍を用いることもできる。
【００４４】
図８は、光ディスク１０１としての多層光ディスクに対する情報の記録又は再生時に、記録又は再生の対象としている情報記録層よりも１つ奥（深い位置）の情報記録層で反射した光ビームの、光検知器２１０における照射領域を概略的に示す図である。また、図９は、光ディスク１０１としての多層光ディスクに対する情報の記録又は再生時に、記録又は再生の対象としている情報記録層よりも１つ手前（浅い位置）の情報記録層で反射した光ビームの、光検知器における照射領域を概略的に示す図である。
【００４５】
図８に示されるように、記録又は再生の対象としている情報記録層よりも１つ奥（深い位置）の情報記録層で反射した光ビームは、ホログラム２０８で５分割される。ホログラム２０８によって生成された（ホログラム２０８を通過した）０次光のレーザ光である第１の光ビーム４０１ｄは、第１の受光部４０２の受光面Ａ，Ｂ，Ｃ，Ｄに、焦点がぼけた状態で到達する。ホログラム２０８の第１の回折領域３０１によって生成された回折光の内の＋１次光である第２の光ビーム４０３ｄと、ホログラム２０８の第２の回折領域３０２によって生成された回折光の内の＋１次光である第３の光ビーム４０４ｄとは、シリンドリカルレンズ２０９の非点収差の作用により、第２の受光部４０５に受光されないように到達する。ホログラム２０８の第３の回折領域３０３によって生成された回折光の内の＋１次光である第４の光ビーム４０６ｄと、ホログラム２０８の第４の回折領域３０４によって生成された回折光の内の＋１次光である第５の光ビーム４０７ｄとは、シリンドリカルレンズ２０９の非点収差の作用により、第３の受光部４０８に受光されないように到達する。
【００４６】
このように、ホログラム２０８により、第１の光ビーム４０１ｄは、第１の受光部４０２の受光面Ａ，Ｂ，Ｃ，Ｄに、焦点がぼけた状態で、且つ、第１の受光部４０２の受光面Ａ，Ｂ，Ｃ，Ｄを全体をカバーするように到達する。したがって、第１の光ビーム４０１ｄの照射領域が、図５及び図６の場合のように移動したとしても、第１の光ビーム４０１ｄは、第１の受光部４０２の受光面Ａ，Ｂ，Ｃ，Ｄのほぼ全体をカバーするように到達するので、フォーカスエラー信号の値、すなわち、
ＦＥＳ＝（ａ０＋ｃ０）−（ｂ０＋ｄ０）
に与える影響は小さい。
【００４７】
また、ホログラム２０８により、第２の光ビーム４０３ｄと第３の光ビーム４０４ｄとは、第２の受光部４０５に受光されないように到達する。したがって、第２の光ビーム４０３ｄと第３の光ビーム４０４ｄの照射領域が、図５及び図６の場合のように移動したとしても、第２の光ビーム４０３ｄと第３の光ビーム４０４ｄとは、第２の受光部４０５の受光面Ｅ，Ｆに重ならない（又は、僅かしか重ならない）ので、トラックエラー信号の値、すなわち、
ＴＥＳ＝（ｅ０−ｆ０）−ｋ×｛（ｇ１＋ｇ２）−（ｈ１＋ｈ２）｝
に与える影響は小さい。
【００４８】
さらに、ホログラム２０８により、第４の光ビーム４０６ｄと第５の光ビーム４０７ｄとは、第３の受光部４０８に受光されないように到達する。したがって、第４の光ビーム４０６ｄと第５の光ビーム４０７ｄの照射領域が、図５及び図６の場合のように移動したとしても、第４の光ビーム４０６ｄと第５の光ビーム４０７ｄとは、第３の受光部４０８の受光面Ｇ１，Ｇ２，Ｈ１，Ｈ２に重ならない（又は、僅かしか重ならない）ので、トラックエラー信号の値、すなわち、
ＴＥＳ＝（ｅ０−ｆ０）−ｋ×｛（ｇ１＋ｇ２）−（ｈ１＋ｈ２）｝
に与える影響は小さい。
【００４９】
図９に示されるように、記録又は再生の対象としている情報記録層よりも１つ手前（浅い位置）の情報記録層で反射した光ビームは、ホログラム２０８で５分割される。ホログラム２０８によって生成された（ホログラム２０８を通過した）０次光のレーザ光である第１の光ビーム４０１ｓは、第１の受光部４０２の受光面Ａ，Ｂ，Ｃ，Ｄに、ビーム径が広がった状態で到達する。ホログラム２０８の第１の回折領域３０１によって生成された回折光の＋１次光である第２の光ビーム４０３ｓと、ホログラム２０８の第２の回折領域３０２によって生成された回折光の内の＋１次光である第３の光ビーム４０４ｓとは、シリンドリカルレンズ２０９の非点収差の作用により、第２の受光部４０５に受光されないように到達し、ホログラム２０８の第３の回折領域３０３によって生成された回折光の内の＋１次光である第４の光ビーム４０６ｓと、ホログラム２０８の第４の回折領域３０４によって生成された回折光の内の＋１次光である第５の光ビーム４０７ｓとは、シリンドリカルレンズ２０９の非点収差の作用により、第３の受光部４０８に受光されないように到達する。
【００５０】
このように、ホログラム２０８により、第１の光ビーム４０１ｓは、第１の受光部４０２の受光面Ａ，Ｂ，Ｃ，Ｄに、焦点がぼけた状態で、且つ、第１の受光部４０２の受光面Ａ，Ｂ，Ｃ，Ｄを全体をカバーするように到達する。したがって、第１の光ビーム４０１ｓの照射領域が、図５及び図６の場合のように移動したとしても、第１の光ビーム４０１ｓは、第１の受光部４０２の受光面Ａ，Ｂ，Ｃ，Ｄのほぼ全体をカバーするように到達するので、フォーカスエラー信号の値、すなわち、
ＦＥＳ＝（ａ０＋ｃ０）−（ｂ０＋ｄ０）
に与える影響は小さい。
【００５１】
また、ホログラム２０８により、第２の光ビーム４０３ｓと第３の光ビーム４０４ｓとは、第２の受光部４０５に受光されないように到達する。したがって、第２の光ビーム４０３ｓと第３の光ビーム４０４ｓの照射領域が、図５及び図６の場合のように移動したとしても、第２の光ビーム４０３ｓと第３の光ビーム４０４ｓとは、第２の受光部４０５の受光面Ｅ，Ｆに重ならない（又は、僅かしか重ならない）ので、トラックエラー信号の値、すなわち、
ＴＥＳ＝（ｅ０−ｆ０）−ｋ×｛（ｇ１＋ｇ２）−（ｈ１＋ｈ２）｝
に与える影響は小さい。
【００５２】
さらに、ホログラム２０８により、第４の光ビーム４０６ｓと第５の光ビーム４０７ｓとは、第３の受光部４０８に受光されないように到達する。したがって、第４の光ビーム４０６ｓと第５の光ビーム４０７ｓの照射領域が、図５及び図６の場合のように移動したとしても、第４の光ビーム４０６ｓと第５の光ビーム４０７ｓとは、第３の受光部４０８の受光面Ｇ１，Ｇ２，Ｈ１，Ｈ２に重ならない（又は、僅かしか重ならない）ので、トラックエラー信号の値、すなわち、
ＴＥＳ＝（ｅ０−ｆ０）−ｋ×｛（ｇ１＋ｇ２）−（ｈ１＋ｈ２）｝
に与える影響は小さい。
【００５３】
また、図８及び図９に示されるように、ビーム径が広がった状態の第１の光ビーム４０１ｄ，４０１ｓが、第２の受光部４０５と第３の受光部４０８で受光されないように、第２の受光部４０５と第３の受光部４０８を、第１の受光部４０２から離して配置することが望ましい。
【００５４】
また、第２の受光部４０５と第３の受光部４０８の配置に関しても、ビーム径が広がった状態の第２の光ビーム４０３ｄ，４０３ｓ、ビーム径が広がった状態の第３の光ビーム４０４ｄ，４０４ｓが第３の受光部４０８で受光されないように、且つ、ビーム径が広がった状態の第４の光ビーム４０６ｄ，４０６ｓ、ビーム径が広がった状態の第５の光ビーム４０７ｄ，４０７ｓが第２の受光部４０５で受光されないように、配置することが望ましい。
【００５５】
以上に説明したように、実施の形態１においては、非点収差を与える光学素子としてのシリンドリカルレンズ２０９、回折素子としてのホログラム２０８、及び光検知器２１０は、光ディスク１０１の記録又は再生の対象としている情報記録層の情報トラックからの反射光からホログラム２０８によって生成された回折光の内の＋１次光又は−１次光がトラックエラー検出用受光部である第２の受光部４０５及び第３の受光部４０８の受光面内を照射し、光ディスク１０１の記録又は再生の対象としている情報記録層より１つ奥の情報記録層の情報トラックからの反射光からホログラム２０８によって生成された回折光の内の＋１次光又は−１次光が第２の受光部４０５及び第３の受光部４０８の受光面の外側（図８及び図９では、ほぼ外側のみ）を照射し、光ディスク１０１の記録又は再生の対象としている情報記録層より１つ手前の情報記録層の情報トラックからの反射光からホログラム２０８によって生成された回折光の内の＋１次光又は−１次光が第２の受光部４０５及び第３の受光部４０８の受光面の外側（図８及び図９では、ほぼ外側のみ）を照射するように構成されている。このため、実施の形態１に係る光ヘッド装置１０３又は光ディスク装置１においては、情報トラックが形成された情報記録層を複数有する多層光ディスクに対する情報の記録又は再生時に、記録又は再生の対象としている情報記録層以外の情報記録層で反射した光ビームが、トラックエラー信号に与える影響を低減することができる。言い換えれば、シリンドリカルレンズ２０９の構造及び配置、ホログラム２０８の構造及び配置、光検出器２１０の複数の受光部の各受光面の位置及び形状を工夫することによって、記録又は再生の対象としている情報記録層以外の情報記録層で反射した光ビームによる、トラックエラー信号への影響を軽減することができる。
【００５６】
実施の形態２．
図１０は、本発明の実施の形態２に係る光ヘッド装置１０３ａの構成を概略的に示す斜視図である。図１０において、図２に示される構成要素と同一又は対応する構成要素には、同じ符号を付す。図１０に示されるように、光ヘッド装置１０３ａは、実施の形態１と同様に、半導体レーザ２０１と、コリメータレンズ２０４と、対物レンズ２０５と、可動保持部２０６と、対物レンズアクチュエータ２０７と、ホログラム２０８と、光検知器２１０とを備えている。実施の形態２に係る光ヘッド装置１０３ａは、実施の形態１の偏向ビームスプリッタ２０２とシリンドリカルレンズ２０９の代わりに、平板ビームスプリッタ８０１を用いている点が、実施の形態１に係る光ヘッド装置１０３と相違する。したがって、実施の形態２の説明においては、実施の形態１の説明で用いた図をも参照する。
【００５７】
実施の形態２におけるホログラム２０８は、図３（ａ）及び（ｂ）を用いて説明した、実施の形態１のものと同じである。
【００５８】
実施の形態２において、ホログラム２０８で５分割された光ビームの光検知器２１０の受光面上の照射領域、並びに、フォーカスエラー信号ＦＥＳ及びトラックエラー信号ＴＥＳの算出方法は、図４〜図６を用いて説明した実施の形態１のものと同じである。
【００５９】
対物レンズ２０５のラジアル方向Ｄｒのシフトが無いとき、対物レンズ２０５が光ディスク内周側にシフトしたとき、及び対物レンズ２０５が光ディスク外周側にシフトしたときにおける、図１０の光検知器２１０による検出信号は、図７（ａ）〜（ｃ）を用いて説明した実施の形態１のものと同じである。
【００６０】
光ディスク１０１としての多層光ディスクに対する情報の記録又は再生時に、記録又は再生の対象としている情報記録層よりも１つ奥（深い位置）の情報記録層で反射した光ビームの、光検知器２１０における照射領域は、図８を用いて説明した実施の形態１の場合と同様であり、光ディスク１０１としての多層光ディスクに対する情報の記録又は再生時に、記録又は再生の対象としている情報記録層よりも１つ手前（浅い位置）の情報記録層で反射した光ビームの、光検知器２１０における照射領域は、図９を用いて説明した実施の形態１の場合と同様である。
【００６１】
図８に示されるように、記録又は再生の対象としている情報記録層よりも１つ奥の情報記録層で反射した光ビームはホログラム２０８で５分割される。ホログラム２０８によって生成された（ホログラム２０８を通過した）０次光のレーザ光である第１の光ビーム４０１ｄは、第１の受光部４０２の受光面Ａ，Ｂ，Ｃ，Ｄに焦点がぼけた状態で到達する。ホログラム２０８の第１の回折領域３０１によって生成された回折光の内の＋１次光である第２の光ビーム４０３ｄと、ホログラム２０８の第２の回折領域３０２によって生成された回折光の内の＋１次光である第３の光ビーム４０４ｄとは、平板ビームスプリッタ８０１の非点収差の作用により、第２の受光部４０５に受光されないように到達し、ホログラム２０８の第３の回折領域３０３によって生成された回折光の内の＋１次光である第４の光ビーム４０６ｄと、ホログラム２０８の第４の回折領域３０４によって生成された回折光の内の＋１次光である第５の光ビーム４０７ｄは、平板ビームスプリッタ８０１の非点収差の作用により、第３の受光部４０８に受光されないように到達する。
【００６２】
実施の形態１の場合と同様に、ホログラム２０８により、第１の光ビーム４０１ｄは、第１の受光部４０２の受光面Ａ，Ｂ，Ｃ，Ｄに、焦点がぼけた状態で、且つ、第１の受光部４０２の受光面Ａ，Ｂ，Ｃ，Ｄの全体をカバーするように到達する。したがって、第１の光ビーム４０１ｄの照射領域が、図５及び図６の場合のように移動したとしても、第１の光ビーム４０１ｄは、第１の受光部４０２の受光面Ａ，Ｂ，Ｃ，Ｄのほぼ全体をカバーするように到達するので、フォーカスエラー信号の値、すなわち、
ＦＥＳ＝（ａ０＋ｃ０）−（ｂ０＋ｄ０）
に与える影響は小さい。
【００６３】
また、ホログラム２０８により、第２の光ビーム４０３ｄと第３の光ビーム４０４ｄとは、第２の受光部４０５に受光されないように到達する。したがって、第２の光ビーム４０３ｄと第３の光ビーム４０４ｄの照射領域が、図５及び図６の場合のように移動したとしても、第２の光ビーム４０３ｄと第３の光ビーム４０４ｄとは、第２の受光部４０５の受光面Ｅ，Ｆに重ならない（又は、僅かしか重ならない）ので、トラックエラー信号の値、すなわち、
ＴＥＳ＝（ｅ０−ｆ０）−ｋ×｛（ｇ１＋ｇ２）−（ｈ１＋ｈ２）｝
に与える影響は小さい。
【００６４】
さらに、ホログラム２０８により、第４の光ビーム４０６ｄと第５の光ビーム４０７ｄとは、第３の受光部４０８に受光されないように到達する。したがって、第４の光ビーム４０６ｄと第５の光ビーム４０７ｄの照射領域が、図５及び図６の場合のように移動したとしても、第４の光ビーム４０６ｄと第５の光ビーム４０７ｄとは、第３の受光部４０８の受光面Ｇ１，Ｇ２，Ｈ１，Ｈ２に重ならない（又は、僅かしか重ならない）ので、トラックエラー信号の値、すなわち、
ＴＥＳ＝（ｅ０−ｆ０）−ｋ×｛（ｇ１＋ｇ２）−（ｈ１＋ｈ２）｝
に与える影響は小さい。
【００６５】
図９に示されるように、記録又は再生の対象としている情報記録層よりも手前の情報記録層で反射した光ビームはホログラム２０８で５分割される。ホログラム２０８によって生成された（ホログラム２０８を通過した）０次光のレーザ光である第１の光ビーム４０１ｓは、第１の受光部４０２の受光面Ａ，Ｂ，Ｃ，Ｄにビーム径が広がった状態で到達する。ホログラム２０８の第１の回折領域３０１によって生成された回折光の内の＋１次光である第２の光ビーム４０３ｓと、ホログラム２０８の第２の回折領域３０２によって生成された回折光の内の＋１次光である第３の光ビーム４０４ｓは、平板ビームスプリッタ８０１の非点収差の作用により、第２の受光部４０５に受光されないように到達し、ホログラム２０８の第３の回折領域３０３によって生成された回折光の内の＋１次光である第４の光ビーム４０６ｓと、ホログラム２０８の第４の回折領域３０４によって生成された回折光の内の＋１次光である第５の光ビーム４０７ｓとは、平板ビームスプリッタ８０１の非点収差の作用により、第３の受光部４０８に受光されないように到達する。
【００６６】
実施の形態１の場合と同様に、ホログラム２０８により、第１の光ビーム４０１ｓは、第１の受光部４０２の受光面Ａ，Ｂ，Ｃ，Ｄに、焦点がぼけた状態で、且つ、第１の受光部４０２の受光面Ａ，Ｂ，Ｃ，Ｄを全体をカバーするように到達する。したがって、第１の光ビーム４０１ｓの照射領域が、図５及び図６の場合のように移動したとしても、第１の光ビーム４０１ｓは、第１の受光部４０２の受光面Ａ，Ｂ，Ｃ，Ｄのほぼ全体をカバーするように到達するので、フォーカスエラー信号の値、すなわち、
ＦＥＳ＝（ａ０＋ｃ０）−（ｂ０＋ｄ０）
に与える影響は小さい。
【００６７】
また、ホログラム２０８により、第２の光ビーム４０３ｓと第３の光ビーム４０４ｓとは、第２の受光部４０５に受光されないように到達する。したがって、第２の光ビーム４０３ｓと第３の光ビーム４０４ｓの照射領域が、図５及び図６の場合のように移動したとしても、第２の光ビーム４０３ｓと第３の光ビーム４０４ｓとは、第２の受光部４０５の受光面Ｅ，Ｆに重ならない（又は、僅かしか重ならない）ので、トラックエラー信号の値、すなわち、
ＴＥＳ＝（ｅ０−ｆ０）−ｋ×｛（ｇ１＋ｇ２）−（ｈ１＋ｈ２）｝
に与える影響は小さい。
【００６８】
さらに、ホログラム２０８により、第４の光ビーム４０６ｓと第５の光ビーム４０７ｓとは、第３の受光部４０８に受光されないように到達する。したがって、第４の光ビーム４０６ｓと第５の光ビーム４０７ｓの照射領域が、図５及び図６の場合のように移動したとしても、第４の光ビーム４０６ｓと第５の光ビーム４０７ｓとは、第３の受光部４０８の受光面Ｇ１，Ｇ２，Ｈ１，Ｈ２に重ならない（又は、僅かしか重ならない）ので、トラックエラー信号の値、すなわち、
ＴＥＳ＝（ｅ０−ｆ０）−ｋ×｛（ｇ１＋ｇ２）−（ｈ１＋ｈ２）｝
に与える影響は小さい。
【００６９】
以上に説明したように、実施の形態２においては、非点収差を与える光学素子としてのシリンドリカルレンズ２０９、回折素子としてのホログラム２０８、及び光検知器２１０は、光ディスク１０１の記録又は再生の対象としている情報記録層の情報トラックからの反射光からホログラム２０８によって生成された回折光の内の＋１次光又は−１次光がトラックエラー検出用受光部である第２の受光部４０５及び第３の受光部４０８の受光面内を照射し、光ディスク１０１の記録又は再生の対象としている情報記録層より１つ奥の情報記録層の情報トラックからの反射光からホログラム２０８によって生成された回折光の内の＋１次光又は−１次光が第２の受光部４０５及び第３の受光部４０８の受光面の外側（図８及び図９では、ほぼ外側のみ）を照射し、光ディスク１０１の記録又は再生の対象としている情報記録層より１つ手前の情報記録層の情報トラックからの反射光からホログラム２０８によって生成された回折光の内の＋１次光又は−１次光が第２の受光部４０５及び第３の受光部４０８の受光面の外側（図８及び図９では、ほぼ外側のみ）を照射するように構成されている。このため、実施の形態２に係る光ヘッド装置１０３ａ又は光ディスク装置２においては、情報トラックが形成された情報記録層を複数有する多層光ディスクに対する情報の記録又は再生時に、記録又は再生の対象としている情報記録層以外の情報記録層で反射した光ビームが、トラックエラー信号に与える影響を低減することができる。言い換えれば、平板ビームスプリッタ８０１の構造及び配置、ホログラム２０８の構造及び配置、光検出器２１０の複数の受光部の各受光面の位置及び形状を工夫することによって、記録又は再生の対象としている情報記録層以外の情報記録層で反射した光ビームによる、トラックエラー信号への影響を軽減することができる。
【００７０】
図１１は、図２及び図１０の光検知器の受光面の他の例を、図８の場合と同様の光照射領域と共に示す図である。図１１に示されるように、光検知器２１０ａは、第１の受光部４０２ａと、第２の受光部４０５ａと、第３の受光部４０８ａとを有する。第１の受光部４０２ａは、ラジアル方向Ｄｒに対応する方向ＤＲ及びタンジェンシャル方向Ｄｔに対応する方向ＤＴに並ぶ４つの受光面Ａ，Ｂ，Ｃ，Ｄを有し、第２の受光部４０５ａは、ラジアル方向Ｄｒに対応する方向ＤＲに並ぶ２つの受光面Ｅ，Ｆを有し、第３の受光部４０８ａは、タンジェンシャル方向Ｄｔに対応する方向ＤＴに並ぶ２組の受光面Ｇ１，Ｇ２及びＨ１，Ｈ２を有する。
【００７１】
光検知器２１０ａの受光部は記録又は再生の対象としている情報記録層以外の情報記録層で反射した光ビームが受光されるのを防ぐために、図１１に示されるように、第２の受光部４０５ａを構成する受光面Ｅ及びＦの頂点Ｅ０及びＦ０が互いに離れるように配置してもよい。同様に、第３の受光部４０８ａを構成する受光面Ｇ１及びＧ２の頂点Ｇ１０及びＧ２０が互いに離れ、且つ、受光面Ｈ１及びＨ２の頂点Ｈ１０及びＨ２０が互いに離れるように配置してもよい。このような構成を採用した場合には、第２の光ビーム４０３ｄと第３の光ビーム４０４ｄの照射領域が、図５及び図６の場合のように移動したとしても、第２の光ビーム４０３ｄと第３の光ビーム４０４ｄとは、第２の受光部４０５の受光面Ｅ，Ｆに、より一層重なり難いので、トラックエラー信号の値、すなわち、ＴＥＳに与える影響はより一層小さくなる。また、第４の光ビーム４０６ｄと第５の光ビーム４０７ｄの照射領域が、図５及び図６の場合のように移動したとしても、第４の光ビーム４０６ｄと第５の光ビーム４０７ｄとは、第３の受光部４０８の受光面Ｇ１，Ｇ２，Ｈ１，Ｈ２に、より一層重なり難いので、トラックエラー信号の値、すなわち、ＴＥＳに与える影響は、より一層小さくなる。
【００７２】
実施の形態３．
図１２は、本発明の実施の形態３に係る光ディスク装置３の構成を概略的に示す図である。図１２において、図１に示される光ディスク装置１の構成要素と同一又は対応する構成要素には、同じ符号を付す。図１２に示されるように、実施の形態３に係る光ディスク装置３は、光ヘッド装置１０３ｂが、実施の形態１又は２に係る光ディスク装置１又は２における光ヘッド装置１０３又は１０３ａと異なる。これらの点を除き、実施の形態３に係る光ディスク装置３は、実施の形態１又は２に係る光ディスク装置１又は２と同じである。
【００７３】
図１３は、本発明の実施の形態３に係る光ヘッド装置１０３ｂの構成を概略的に示す斜視図である。図１３において、図２に示される構成要素と同一又は対応する構成要素には、同じ符号を付す。図１３に示されるように、光ヘッド装置１０３ｂは、実施の形態１と同様に、半導体レーザ２０１と、偏光ビームスプリッタ２０２と、１／４波長板２０３と、コリメータレンズ２０４と、対物レンズ２０５と、可動保持部２０６と、対物レンズアクチュエータ２０７と、ホログラム２０８と、シリンドリカルレンズ２０９と、光検知器２１０ｂとを備えている。実施の形態３に係る光ヘッド装置１０３ｂは、光検知器２１０ｂの受光部４０９と４１０が、実施の形態１に係る光ヘッド装置１０３における光検知器２１０と相違する。したがって、実施の形態３の説明においては、実施の形態１の説明で用いた図をも参照する。
【００７４】
実施の形態３におけるホログラム２０８は、図３（ａ）及び（ｂ）を用いて説明した、実施の形態１のものと同じである。
【００７５】
図１４は、図１３の光検知器２１０ｂの受光面及びホログラム２０８で５分割された光ビームの照射領域を概略的に示す図（対物レンズ２０５のラジアル方向Ｄｒのシフトが無いとき）である。
【００７６】
実施の形態３における光検知器２１０ｂは、ホログラム２０８の第１の回折領域３０１、第２の回折領域３０２、第３の回折領域３０３、及び第４の回折領域３０４で生成された回折光の内の０次光（すなわち、光ディスク１０１の記録又は再生の対象としている情報記録層の情報トラック１０１ａで回折した反射光の内の０次光のビーム（メインビーム）がホログラム２０８で回折（透過）することによって生成された回折光の内の０次光のビームである第１の光ビーム４０１を受光する受光面を有しない点が、実施の形態１における光検知器２１０と異なる。
【００７７】
また、光検知器２１０ｂは、ホログラム２０８の第１の回折領域３０１で生成された回折光の内の＋１次光である第２の光ビーム４０３（扇形のハッチング領域）と、ホログラム２０８の第２の回折領域３０２で生成された回折光の内の＋１次光である第３の光ビーム４０４（扇形のハッチング領域）とを受光する、８個の受光面Ａ１，Ａ２，…，Ａ８からなる第１の受光部４０９を有する。なお、使用する回折光は、ホログラム２０８の第１又は第２の回折領域３０１，３０２で生成された回折光の内の−１次光であってもよい。また、受光面Ａ１，Ａ２，…，Ａ８の形状は、図示の例に限定されない。
【００７８】
さらに、光検知器２１０ｂは、ホログラム２０８の第３の回折領域３０３で生成された回折光の内の＋１次光である第４の光ビーム４０６（扇形のハッチング領域）と、ホログラム２０８の第４の回折領域３０４で生成された回折光の内の＋１次光である第５の光ビーム４０７（扇形のハッチング領域）とを受光する、８個の受光面Ｂ１，Ｂ２，…，Ｂ８からなる第２の受光部４１０を有する。なお、使用する回折光は、ホログラム２０８の第３又は第４の回折領域３０３，３０４で生成された回折光の内の−１次光であってもよい。また、受光面Ｂ１，Ｂ２，…，Ｂ８の形状は、図示の例に限定されない。
【００７９】
光検知器２１０ｂは、第１の受光部４０９を構成する８個の受光面Ａ１，Ａ２，…，Ａ８と、第２の受光部４１０を構成する８個の受光面Ｂ１，Ｂ２，…，Ｂ８とを含む１６個の受光面を有するが、受光面の形状、配置、数量は、他の形状、配置、数量にすることもできる。
【００８０】
また、第１の受光部４０９の受光面（第１から第８の受光面）Ａ１，Ａ２，…，Ａ８の境界線は、光ディスク１０１のラジアル方向Ｄｒに対応する方向ＤＲに延びる直線（第５の直線）７１４と、ラジアル方向Ｄｒに対応する方向ＤＲに直交する方向ＤＴに延びる直線（第６の直線）７１３と、ラジアル方向Ｄｒに対応する方向ＤＲを０度、タンジェンシャル方向Ｄｔに対応する方向ＤＴを９０度とした場合に、４５度方向に延びる直線（第３の直線）７１１と、−４５度方向に延びる直線（第４の直線）７１２とを含む。
【００８１】
また、第２の受光部４１０の８個の受光面（第９から第１６の受光面）Ｂ１，Ｂ２，…，Ｂ８の境界線は、光ディスク１０１のラジアル方向Ｄｒに対応する方向ＤＲに延びる直線（第９の直線）７２４と、ラジアル方向Ｄｒに対応する方向ＤＲに直交する方向ＤＴに延びる直線（第１０の直線）７２３と、ラジアル方向Ｄｒに対応する方向ＤＲを０度、タンジェンシャル方向Ｄｔに対応する方向ＤＴを９０度とした場合に、４５度方向に延びる直線（第７の直線）７２１と、−４５度方向に延びる直線（第８の直線）７２２とを含む。
【００８２】
ホログラム２０８によって生成された（ホログラム２０８を通過した）０次光のレーザ光である第１の光ビーム４０１は、光検知器２１０ｂ上に到達するが、到達した位置には、受光面が配置されていないため、光検知器２１０ｂから、第１の光ビーム４０１に基づく検知信号は出力されない。
【００８３】
ホログラム２０８の第１の回折領域３０１によって生成された回折光の内の＋１次光である第２の光ビーム４０３は、第１の受光部４０９の受光面Ａ１，Ａ８に到達し、ホログラム２０８の第２の回折領域３０２によって生成された回折光の内の＋１次光である第３の光ビーム４０４は、第１の受光部４０９の受光面Ａ４，Ａ５に到達する。
【００８４】
ホログラム２０８の第３の回折領域３０３によって生成された回折光の内の＋１次光である第４の光ビーム４０６は、第２の受光部４１０の受光面Ｂ６，Ｂ７に到達し、ホログラム２０８の第４の回折領域３０４によって生成された回折光の内の＋１次光である第５の光ビーム４０７は、第２の受光部４１０の受光面Ｂ２，Ｂ３に到達する。なお、以下の説明において、受光面Ａ１，Ａ２，…，Ａ８、及び、受光面Ｂ１，Ｂ２，…，Ｂ８でそれぞれ光電変換された電気信号のレベル（これを「検知信号」とも言う。）を、受光面を示す符号と同じ符号ａ１，ａ２，…，ａ８、及び符号ｂ１，ｂ２，…，ｂ８と表記する。
【００８５】
マトリクス回路１０５は、光検知器２１０ｂの検知信号ａ１，ａ２，…，ａ８，ｂ１，ｂ２，…，ｂ８を受信し、フォーカスエラー信号ＦＥＳを、次式の非点収差法の演算によって生成する。
ＦＥＳ＝（ａ３＋ａ４＋ａ７＋ａ８＋ｂ３＋ｂ４＋ｂ７＋ｂ８）
−（ａ１＋ａ２＋ａ５＋ａ６＋ｂ１＋ｂ２＋ｂ５＋ｂ６）
【００８６】
また、マトリクス回路１０５は、トラックエラー信号ＴＥＳを、次式の演算によって生成する。
ＴＥＳ＝（ａ４＋ａ５）−（ａ１＋ａ８）
−ｋ×｛（ｂ３＋ｂ６）−（ｂ２＋ｂ７）｝
ここで、ｋは定数である。
【００８７】
図１５は、図１３の光検知器２１０ｂの受光面及びホログラム２０８で５分割された光ビーム４０１，４０３，４０４，４０６，４０７の照射領域を概略的に示す図（対物レンズ２０５がラジアル方向Ｄｒの光ディスク内周側にシフトしたとき）である。また、図１６は、図１３の光検知器２１０ｂの受光面及びホログラム２０８で５分割された光ビーム４０１，４０３，４０４，４０６，４０７の照射領域を概略的に示す図（対物レンズ２０５がラジアル方向Ｄｒの光ディスク外周側にシフトしたとき）である。図１５は、対物レンズ２０５が光ディスク１０１の内周方向にシフトした場合に、第１〜第５の光ビーム４０１，４０３，４０４，４０６，４０７はそれぞれ、図１５の左方（ラジアル方向Ｄｒに対応する方向ＤＲ）にずれることを示している。図１６は、対物レンズ２０５が光ディスク１０１の外周方向にシフトした場合に、第１〜第５の光ビーム４０１，４０３，４０４，４０６，４０７はそれぞれ、図１６の右方（ラジアル方向Ｄｒに対応する方向ＤＲであって、図１５の場合の反対方向）にずれることを示している。
【００８８】
図１７（ａ）〜（ｃ）は、対物レンズ２０５のラジアル方向Ｄｒのシフトが無いとき、対物レンズ２０５が光ディスク内周側にシフトしたとき、及び対物レンズ２０５が光ディスク外周側にシフトしたときにおける、図１３の光検知器２１０ｂによる検出信号を示す図である。なお、図１７（ａ）〜（ｃ）は、フォーカスサーボがオンであり、トラックサーボがオフの場合の信号を示している。
【００８９】
図１７（ａ）及び図１４から理解できるように、対物レンズ２０５のラジアル方向Ｄｒのシフトが無いときには、信号（（ａ４＋ａ５）−（ａ１＋ａ８））の波形は、ＧＮＤ（破線）を基準にしてオフセットのないプッシュプル波形となる。このとき、信号（（ｂ３＋ｂ６）−（ｂ２＋ｂ７））の直流的波形（実線）も、ＧＮＤ（破線）を基準にしてオフセットのない波形となる。
【００９０】
図１７（ｂ）及び図１５から理解できるように、対物レンズ２０５がラジアル方向Ｄｒ内周側（内周に向けて）にシフトしたときには、信号（（ａ４＋ａ５）−（ａ１＋ａ８））の波形は、ＧＮＤ（破線）を基準にしてプラスにオフセットしたプッシュプル波形となる。このとき、信号（（ｂ３＋ｂ６）−（ｂ２＋ｂ７））の直流的波形（実線）も、ＧＮＤ（破線）を基準にしてプラスにオフセットした波形となる。したがって、信号（（ｂ３＋ｂ６）−（ｂ２＋ｂ７））の値は、対物レンズ２０５のシフト量に対応する値を表しており、信号（（ａ４＋ａ５）−（ａ１＋ａ８））の値から信号（（ｂ３＋ｂ６）−（ｂ２＋ｂ７））の値の定数倍（ｋ倍）を差し引くことによって、オフセットをキャンセルしたトラックエラー信号ＴＥＳが得られる。
【００９１】
図１７（ｃ）及び図１６から理解できるように、対物レンズ２０５がラジアル方向Ｄｒ外周側（外周に向けて）にシフトしたときには、信号（（ａ４＋ａ５）−（ａ１＋ａ８））の波形は、ＧＮＤ（破線）を基準にしてマイナスにオフセットしたプッシュプル波形となる。このとき、信号（（ｂ３＋ｂ６）−（ｂ２＋ｂ７））の直流的波形（実線）も、ＧＮＤ（破線）を基準にしてマイナスにオフセットした波形となる。したがって、信号（（ｂ３＋ｂ６）−（ｂ２＋ｂ７））の値は、対物レンズ２０５のシフト量に対応する値を表しており、信号（（ａ４＋ａ５）−（ａ１＋ａ８））の値から信号（（ｂ３＋ｂ６）−（ｂ２＋ｂ７））の値の定数倍を差し引くことによって、オフセットをキャンセルしたトラックエラー信号ＴＥＳが得られる。
【００９２】
なお、信号（（ｂ３＋ｂ６）−（ｂ２＋ｂ７））の値の定数倍の代わりに、信号（ｂ３−ｂ２）の値の定数倍、又は、信号（ｂ６−ｂ７）の値の定数倍を用いることもできる。
【００９３】
図１８は、光ディスク１０１としての多層光ディスクに対する情報の記録又は再生時に、記録又は再生の対象としている情報記録層よりも１つ奥（深い位置）の情報記録層で反射した光ビームの、光検知器２１０ｂにおける照射領域を概略的に示す図である。また、図１９は、光ディスク１０１としての多層光ディスクに対する情報の記録又は再生時に、記録又は再生の対象としている情報記録層よりも１つ手前（浅い位置）の情報記録層で反射した光ビームの、光検知器における照射領域を概略的に示す図である。
【００９４】
図１８に示されるように、記録又は再生の対象としている情報記録層よりも１つ奥（深い位置）の情報記録層で反射した光ビームは、ホログラム２０８で５分割される。ホログラム２０８によって生成された（ホログラム２０８を通過した）０次光のレーザ光である第１の光ビーム４０１ｄは、焦点がぼけた状態で光検知器２１０ｂに到達する。ホログラム２０８の第１の回折領域３０１によって生成された回折光の内の＋１次光である第２の光ビーム４０３ｄと、ホログラム２０８の第２の回折領域３０２によって生成された回折光の内の＋１次光である第３の光ビーム４０４ｄとは、シリンドリカルレンズ２０９の非点収差の作用により、第１の受光部４０９の受光面Ａ１，Ａ４，Ａ５，Ａ８に受光されないように到達する。ホログラム２０８の第３の回折領域３０３によって生成された回折光の内の＋１次光である第４の光ビーム４０６ｄと、ホログラム２０８の第４の回折領域３０４によって生成された回折光の内の＋１次光である第５の光ビーム４０７ｄとは、シリンドリカルレンズ２０９の非点収差の作用により、第２の受光部４１０の受光面Ｂ２，Ｂ３，Ｂ６，Ｂ７に受光されないように到達する。
【００９５】
このように、ホログラム２０８により、第２の光ビーム４０３ｄと第３の光ビーム４０４ｄとは、第１の受光部４０９の受光面Ａ１，Ａ４，Ａ５，Ａ８に受光されないように到達する。したがって、第２の光ビーム４０３ｄと第３の光ビーム４０４ｄの照射領域が、図１５及び図１６の場合のように移動したとしても、第２の光ビーム４０３ｄと第３の光ビーム４０４ｄとは、第１の受光部４０９の受光面Ａ１，Ａ４，Ａ５，Ａ８に重ならないので、信号ａ１，ａ４，ａ５，ａ８に影響を与えることが無い。
【００９６】
さらに、ホログラム２０８により、第４の光ビーム４０６ｄと第５の光ビーム４０７ｄとは、第２の受光部４１０の受光面Ｂ２，Ｂ３，Ｂ６，Ｂ７に受光されないように到達する。したがって、第４の光ビーム４０６ｄと第５の光ビーム４０７ｄの照射領域が、図１５及び図１６の場合のように移動したとしても、第４の光ビーム４０６ｄと第５の光ビーム４０７ｄとは、第２の受光部４１０の受光面Ｂ２，Ｂ３，Ｂ６，Ｂ７に重ならないので、トラックエラー信号の値、すなわち、
ＴＥＳ＝（ａ４＋ａ５）−（ａ１＋ａ８）
−ｋ×｛（ｂ３＋ｂ６）−（ｂ２＋ｂ７）｝
に影響を与えることが無い。このため、迷光を全く含まない正確なトラックエラー信号が得られる。
【００９７】
図１９に示されるように、記録又は再生の対象としている情報記録層よりも１つ手前（浅い位置）の情報記録層で反射した光ビームは、ホログラム２０８で５分割される。ホログラム２０８によって生成された（ホログラム２０８を通過した）０次光のレーザ光である第１の光ビーム４０１ｓは、ビーム径が広がった状態で光検知器２１０ｂに到達する。ホログラム２０８の第１の回折領域３０１によって生成された回折光の＋１次光である第２の光ビーム４０３ｓと、ホログラム２０８の第２の回折領域３０２によって生成された回折光の内の＋１次光である第３の光ビーム４０４ｓとは、シリンドリカルレンズ２０９の非点収差の作用により、第１の受光部４０９の受光面Ａ１，Ａ４，Ａ５，Ａ８に受光されないように到達し、ホログラム２０８の第３の回折領域３０３によって生成された回折光の内の＋１次光である第４の光ビーム４０６ｓと、ホログラム２０８の第４の回折領域３０４によって生成された回折光の内の＋１次光である第５の光ビーム４０７ｓとは、シリンドリカルレンズ２０９の非点収差の作用により、第２の受光部４１０の受光面Ｂ２，Ｂ３，Ｂ６，Ｂ７に受光されないように到達する。
【００９８】
このように、ホログラム２０８により、第２の光ビーム４０３ｓと第３の光ビーム４０４ｓとは、第１の受光部４０９の受光面Ａ１，Ａ４，Ａ５，Ａ８に受光されないように到達する。したがって、第２の光ビーム４０３ｓと第３の光ビーム４０４ｓの照射領域が、図１５及び図１６の場合のように移動したとしても、第２の光ビーム４０３ｓと第３の光ビーム４０４ｓとは、第２の受光部４０５の受光面Ａ１，Ａ４，Ａ５，Ａ８に重ならないので、信号ａ１，ａ４，ａ５，ａ８に影響を与えることが無い。
【００９９】
さらに、ホログラム２０８により、第４の光ビーム４０６ｓと第５の光ビーム４０７ｓとは、第２の受光部４１０の受光面Ｂ２，Ｂ３，Ｂ６，Ｂ７に受光されないように到達する。したがって、第４の光ビーム４０６ｓと第５の光ビーム４０７ｓの照射領域が、図１５及び図１６の場合のように移動したとしても、第４の光ビーム４０６ｓと第５の光ビーム４０７ｓとは、第２の受光部４１０の受光面Ｂ２，Ｂ３，Ｂ６，Ｂ７に重ならないので、トラックエラー信号の値、すなわち、
ＴＥＳ＝（ａ４＋ａ５）−（ａ１＋ａ８）
−ｋ×｛（ｂ３＋ｂ６）−（ｂ２＋ｂ７）｝
に影響を与えることが無い。このため、迷光を全く含まない正確なトラックエラー信号が得られる。
【０１００】
また、図１８及び図１９に示されるように、ビーム径が広がった状態の第１の光ビーム４０１ｄ，４０１ｓが、第１の受光部４０９と第２の受光部４１０で受光されないように、第１の受光部４０９と第２の受光部４１０を、第１の光ビーム４０１ｄ，４０１ｓから離して配置することが望ましい。
【０１０１】
また、第１の受光部４０９と第２の受光部４１０の配置に関しても、ビーム径が広がった状態の第２の光ビーム４０３ｄ，４０３ｓ、ビーム径が広がった状態の第３の光ビーム４０４ｄ，４０４ｓが第２の受光部４１０で受光されないように、且つ、ビーム径が広がった状態の第４の光ビーム４０６ｄ，４０６ｓ、ビーム径が広がった状態の第５の光ビーム４０７ｄ，４０７ｓが第１の受光部４０９で受光されないように、配置することが望ましい。
【０１０２】
以上に説明したように、実施の形態３においては、非点収差を与える光学素子としてのシリンドリカルレンズ２０９、回折素子としてのホログラム２０８、及び光検知器２１０ｂは、光ディスク１０１の記録又は再生の対象としている情報記録層の情報トラックからの反射光からホログラム２０８によって生成された回折光の内の＋１次光又は−１次光が第１の受光部４０９の受光面Ａ１，Ａ４，Ａ５，Ａ８及び第２の受光部４１０の受光面Ｂ２，Ｂ３，Ｂ６，Ｂ７内を照射し、光ディスク１０１の記録又は再生の対象としている情報記録層より１つ奥の情報記録層の情報トラックからの反射光からホログラム２０８によって生成された回折光の内の＋１次光又は−１次光が第１の受光部４０９の受光面Ａ１，Ａ４，Ａ５，Ａ８及び第２の受光部４１０の受光面Ｂ２，Ｂ３，Ｂ６，Ｂ７の外側のみを照射し、光ディスク１０１の記録又は再生の対象としている情報記録層より１つ手前の情報記録層の情報トラックからの反射光からホログラム２０８によって生成された回折光の内の＋１次光又は−１次光が第１の受光部４０９の受光面Ａ１，Ａ４，Ａ５，Ａ８及び第２の受光部４１０の受光面Ｂ２，Ｂ３，Ｂ６，Ｂ７の外側のみを照射するように構成されている。このため、実施の形態３に係る光ヘッド装置１０３ｂ又は光ディスク装置３においては、情報トラックが形成された情報記録層を複数有する多層光ディスクに対する情報の記録又は再生時に、記録又は再生の対象としている情報記録層以外の情報記録層で反射した光ビームが、トラックエラー信号に全く影響を与えないようにできる。言い換えれば、シリンドリカルレンズ２０９の構造及び配置、ホログラム２０８の構造及び配置、光検出器２１０ｂの複数の受光部の各受光面の位置及び形状を工夫することによって、記録又は再生の対象としている情報記録層以外の情報記録層で反射した光ビームによる、トラックエラー信号への影響を完全に無くすことができる。
【０１０３】
変形例．
図２０は、図２、図１０又は図１３に示されるホログラムの他の例を示す平面図である。図２０に示されるホログラム２０８ａにおいて、第１の回折格子３０１ａ及び第２の回折格子３０２ａの各々は、タンジェンシャル方向Ｄｔに延びる直線状の格子パターン（格子構造）をラジアル方向Ｄｒに複数配列したものである。また、図２０に示されるように、第３の回折格子３０３ａ及び第４の回折格子３０４ａの各々は、ラジアル方向Ｄｒに延びる直線状の格子パターンをタンジェンシャル方向Ｄｔに複数配列したものである。この場合には、光検知器２１０の各受光部の配置を、図４〜図９に示す動作と同等の動作をするように、変更する必要がある。
【０１０４】
図２１は、図２、図１０又は図１３に示されるホログラムのさらに他の例を示す平面図である。図２１に示されるホログラム２０８ｂにおいて、第１の回折格子３０１ｂ及び第２の回折格子３０２ｂの各々は、＋４５度よりも大きく＋９０度よりも小さい所定の第１方向に延びる直線状の格子パターンを、第１方向に直交する第２方向に複数配列したものである。また、図２１に示されるように、第３の回折格子３０３ｂ及び第４の回折格子３０４ｂの各々は、０度から−４５度の範囲内の所定の第３方向に延びる直線状の格子パターンを、第３方向に直交する第４方向に複数配列したものである。この場合には、光検知器２１０の各受光部の配置を、図４〜図９に示す動作と同等の動作をするように、配置する必要がある。
【０１０５】
図２０及び図２１に示されるように、光検出器２１０の受光面の位置に応じて、ホログラムを適切に形成すれば、実施の形態１及び２の場合と同様の効果を得ることができる。
【符号の説明】
【０１０６】
１，２，３  光ディスク装置、  １０１  光ディスク、  １０１ａ  情報トラック、  １０２  スピンドルモータ、  １０３，１０３ａ，１０３ｂ  光ヘッド装置、  １０４  移動部、  １０５  マトリクス回路、  １０６  信号再生回路、  １０７  サーボ回路、  １０８  スピンドル制御回路、  １０９  レーザ制御回路、  １１０  スレッド制御回路、  １１１  コントローラ、  １１２  ターンテーブル、  ２０１  半導体レーザ、  ２０２  偏光ビームスプリッタ、  ２０３  １／４波長板、  ２０４  コリメータレンズ、  ２０５  対物レンズ、  ２０６  可動保持部、  ２０７  対物レンズアクチュエータ、  ２０８  ホログラム（回折素子）、  ２０９  シリンドリカルレンズ、  ２１０，２１０ａ，２１０ｂ  光検知器、  ３０１  第１の回折領域、  ３０２  第２の回折領域、  ３０３  第３の回折領域、  ３０４  第４の回折領域、  ４０１  第１の光ビーム（記録又は再生の対象としている情報記録層からの反射光）、  ４０２  第１の受光部、  ４０３  第２の光ビーム（記録又は再生の対象としている情報記録層からの反射光）、  ４０４  第３の光ビーム（記録又は再生の対象としている情報記録層からの反射光）、  ４０５  第２の受光部、  ４０６  第４の光ビーム（記録又は再生の対象としている情報記録層からの反射光）、  ４０７  第５の光ビーム（記録又は再生の対象としている情報記録層からの反射光）、  ４０８  第３の受光部、  ４０９  第１の受光部、  ４１０  第２の受光部、  ４０１ｄ  第１の光ビーム（記録又は再生の対象としている情報記録層より１つ奥の情報記録層からの反射光）、  ４０３ｄ  第２の光ビーム（記録又は再生の対象としている情報記録層より１つ奥の情報記録層からの反射光）、  ４０４ｄ  第３の光ビーム（記録又は再生の対象としている情報記録層より１つ奥の情報記録層からの反射光）、  ４０６ｄ  第４の光ビーム（記録又は再生の対象としている情報記録層より１つ奥の情報記録層からの反射光）、  ４０７ｄ  第５の光ビーム（１つ奥の情報記録層からの反射光）、  ４０１ｓ  第１の光ビーム（記録又は再生の対象としている情報記録層より１つ手前の情報記録層からの反射光）、  ４０３ｓ  第２の光ビーム（記録又は再生の対象としている情報記録層より１つ手前の情報記録層からの反射光）、  ４０４ｓ  第３の光ビーム（記録又は再生の対象としている情報記録層より１つ手前の情報記録層からの反射光）、  ４０６ｓ  第４の光ビーム（記録又は再生の対象としている情報記録層より１つ手前の情報記録層からの反射光）、  ４０７ｓ  第５の光ビーム（記録又は再生の対象としている情報記録層より１つ手前の情報記録層からの反射光）、  ８０１  平板ビームスプリッタ、  Ａ，Ｂ，Ｃ，Ｄ，Ｇ１，Ｇ２，Ｈ１，Ｈ２，Ａ１，…，Ａ８，Ｂ１，…，Ｂ８  受光面、  Ｄｒ  ラジアル方向、  Ｄｔ  タンジェンシャル方向、  ＤＲ  ラジアル方向に対応する方向、  ＤＴ  タンジェンシャル方向に対応する方向。
【図１】
0005562493.tif 000002
【図２】
0005562493.tif 000003
【図３】
0005562493.tif 000004
【図４】
0005562493.tif 000005
【図５】
0005562493.tif 000006
【図６】
0005562493.tif 000007
【図７】
0005562493.tif 000008
【図８】
0005562493.tif 000009
【図９】
0005562493.tif 000010
【図１０】
0005562493.tif 000011
【図１１】
0005562493.tif 000012
【図１２】
0005562493.tif 000013
【図１３】
0005562493.tif 000014
【図１４】
0005562493.tif 000015
【図１５】
0005562493.tif 000016
【図１６】
0005562493.tif 000017
【図１７】
0005562493.tif 000018
【図１８】
0005562493.tif 000019
【図１９】
0005562493.tif 000020
【図２０】
0005562493.tif 000021
【図２１】
0005562493.tif 000022